(57)【要約】【課題】単管パイプを用いて勾配のある仮設屋根を安定した状態に組み立てることができる自在クランプを提供する。【解決手段】固定片２２と該固定片２２の端部に開閉自在に軸着した保持片２３との間に単管パイプ２４を保持する保持部２５を有するクランプ本体２６を、折り曲げ自在な連結部２７を介して２つ連結して構成される自在クランプ２１であって、連結部２７は、コ字状に折曲された板材３３の取付部３４を固定片２２に第１ボルト３５で取り付けてナット３９止めすると共に、それぞれの板材３３の連結片３６、３６同士を重畳し、該重畳した連結片３６、３６同士の間に渡って第２ボルト３７を貫通してナット３８止めしてなる。【選択図】図１
2014141781.tif 000002
【特許請求の範囲】
【請求項１】
固定片と該固定片の端部に開閉自在に軸着した保持片との間に単管パイプを保持する保持部を有するクランプ本体を、折り曲げ自在な連結部を介して２つ連結して構成される自在クランプであって、
前記連結部は、コ字状に折曲された板材の取付部を前記固定片に第１ボルトで取り付けてナット止めすると共に、それぞれの板材の連結片同士を重畳し、該重畳した連結片同士の間に渡って第２ボルトを貫通してナット止めしてなること
を特徴とする自在クランプ。
【請求項２】
重畳した連結片同士の間に渡って貫通した前記第２ボルトを締め込んで、前記クランプ本体同士の折り曲げ角度を固定可能な構成であること
を特徴とする請求項１に記載の自在クランプ。
【請求項３】
板材の取付部を固定片に取り付けた前記第１ボルト締め込んで、前記クランプ本体の取付角度を固定可能な構成であること
を特徴とする請求項１に記載の自在クランプ。
【発明の詳細な説明】
【技術分野】
【０００１】
本発明は、単管パイプ等を連結させて仮設物を組み立てるときに使用する自在クランプに関するものである。
【背景技術】
【０００２】
従来、この種の自在クランプとしては、図６に示す構成のものが知られている。この自在クランプ１は、固定片２と保持片３との間に単管パイプを保持する保持部４を有するクランプ本体５を２つ連結して構成される。
【０００３】
そして、固定片２の一端に設けたボルト６を保持片３の挟持部７に挟持させて、ナット８をボルト６に螺着して保持部４に挿通した単管パイプを保持する。また、クランプ本体５、５が連結した連結部分は、２つのクランプ本体５、５同士が軸着されてそれぞれ回転自在な仕組みになっている。
【０００４】
なお、実開昭６０−１０８６４６号公報には、パイプ足場用のクランプ金具の考案が開示されている（特許文献１参照）。
【先行技術文献】
【特許文献】
【０００５】
【特許文献１】実開昭６０−１０８６４６号
【発明の概要】
【発明が解決しようとする課題】
【０００６】
自在クランプ１と単管パイプ１０とを用いて、図７（イ）に示すような勾配のある仮設屋根９を組み立てる場合には、自在クランプ１のクランプ本体５、５が回転自在であるために、結果的に不安定で倒伏し易い構造になるという欠点を有している。
【０００７】
また、仮設屋根９を安定させるためには、図７（ロ）に示すように、補強用の斜材１１を取り付けることが必要であるが、その場合は、斜材１１やクランプ等の多くの材料を使用することとなり、作業手間も余計にかかり、更には仮設屋根９の下の空間が狭くなるという欠点を有している。
【０００８】
従って、従来例における自在クランプ１においては、勾配のある仮設屋根９を安定した状態に組み立てて、使用する材料を減らし、仮設屋根９の下の空間を広くとることができるようにすることに解決しなければならない課題を有している。
【課題を解決するための手段】
【０００９】
前記従来例の課題を解決するための本発明の要旨は、固定片と該固定片の端部に開閉自在に軸着した保持片との間に単管パイプを保持する保持部を有するクランプ本体を、折り曲げ自在な連結部を介して２つ連結して構成される自在クランプであって、前記連結部は、コ字状に折曲された板材の取付部を前記固定片に第１ボルトで取り付けてナット止めすると共に、それぞれの板材の連結片同士を重畳し、該重畳した連結片同士の間に渡って第２ボルトを貫通してナット止めしてなることである。
【００１０】
また、前記重畳した連結片同士の間に渡って貫通した前記第２ボルトを締め込んで、前記クランプ本体同士の折り曲げ角度を固定可能な構成であること、；
前記板材の取付部を固定片に取り付けた前記第１ボルト締め込んで、前記クランプ本体の取付角度を固定可能な構成であること、；
を含むものである。
【発明の効果】
【００１１】
本発明に係る自在クランプによれば、クランプ本体同士の折り曲げ角度や、クランプ本体の取付角度を自在に調整して固定することができるので、従来例のような勾配のある仮設屋根を自在クランプと単管パイプとを用いて安定した状態に組み立てることができる。従って、従来例で使用したような補強用の材料は必要なく、作業手間も低減し、仮設屋根の下の空間を広くとることができる。
更には、仮設屋根だけでなく、単管パイプを連結させて様々な仮設物を組み立てるときに自在クランプの利用勝手が良好になるという種々の優れた効果を奏する。
【図面の簡単な説明】
【００１２】
【図１】本発明に係る自在クランプ２１の正面図である。
【図２】本発明に係る自在クランプ２１の平面図である。
【図３】本発明に係る自在クランプ２１の斜視図である。
【図４】本発明に係る自在クランプ２１に単管パイプ２４を保持させた状態の斜視図である。
【図５】第２実施例に係るスペーサ４１の正面図である。
【図６】従来例に係る自在クランプ１の斜視図である。
【図７】（イ）（ロ）自在クランプ１を用いて組み立てた仮設屋根９を略示的に示す説明図である。
【発明を実施するための形態】
【００１３】
次に、本発明の実施の形態について図面を参照しながら説明する。まず、図１から図４において、符号２１は自在クランプを示し、この自在クランプ２１は、固定片２２と保持片２３との間に単管パイプ２４（図４参照）を保持する保持部２５を有するクランプ本体２６を、折り曲げ自在な連結部２７を介して対称的に２つ連結して構成される。
【００１４】
固定片２２は、単管パイプ２４の外周面に沿うよう湾曲状に形成されており、先端部にはヒンジ部２８を介して、単管パイプ保持用の保持ボルト２９が回動自在に設けられている。また、保持ボルト２９には、ナット３０が螺着される。
【００１５】
固定片２２の基端部には、ヒンジ部３１を介して保持片２３が開閉自在に軸着されている。
【００１６】
保持片２３は、単管パイプ２４の外周面に沿うよう湾曲状に形成されており、先端部には、保持ボルト２９を挟持するために切り欠いた挟持部３２が形成されている（図３及び図４参照）。
【００１７】
このように固定片２２と保持片２３とを備えるクランプ本体２６は、保持片２３を閉じて保持部２５に単管パイプ２４を保持し、保持ボルト２９を挟持部３２に挟持してから、ナット３０を保持ボルト２９に締め込んで保持部２５の単管パイプ２４を固定状態に保持する。
【００１８】
連結部２７は、コ字状に折曲された板材３３の取付部３４を、固定片２２に第１ボルト３５で取り付けてナット３９止めすると共に、それぞれの板材３３の連結片３６、３６同士を重畳して、この重畳した連結片３６、３６同士の間に渡って第２ボルト３７を貫通してナット３８止めしてなる（図１、図３及び図４参照）。
【００１９】
つまり、板材３３の取付部３４と固定片２２とのそれぞれ対応する位置には、第１ボルト３５を挿通するボルト孔（図示せず）が連設されており、このボルト孔に対して、固定片２２の内側から第１ボルト３５を挿通して、板材３３側でナット３９を螺着して固定している（図３参照）。
【００２０】
このように板材３３を固定片２２に第１ボルト３５で取り付けて、クランプ本体２６と連結部２７とを取り付けるので、当該クランプ本体２６の取付角度を回転して調整し、第１ボルト３５を締め込んで固定することができる。
【００２１】
また、連結片３６、３６同士を重畳したそれぞれ対応する位置には、第２ボルト３７を貫通するボルト孔（図示せず）が連設されており、このボルト孔に対して、図１の上部の連結片３６側から下部の連結片３６側に第２ボルト３７を貫通させて、下部側でナット３８を螺着して固定している（図１及び図３参照）。
【００２２】
このようにそれぞれの板材３３の連結片３６、３６同士を重畳して、この重畳した連結片３６、３６同士の間に渡って第２ボルト３７を貫通してナット３８を螺着するので、クランプ本体２６、２６同士の折り曲げ角度を調整して、第２ボルト３７を締め込んで固定することができる（図３及び図４参照）。
【００２３】
以上のように構成される自在クランプ２１は、クランプ本体２６、２６同士の折り曲げ角度や、クランプ本体２６の取付角度を自在に調整して固定することができるので、単管パイプ２４の連結状態を強固に維持できる（図４参照）。従って、従来例のような勾配のある仮設屋根を自在クランプ２１と単管パイプ２４とを用いて安定した状態に組み立てることができるのである。
【００２４】
次に、自在クランプの他の実施例について説明する。図５に示す第２実施例の自在クランプ４１は、クランプ本体４２、４２同士の連結部４３をカム状に形成した構成である。従って、クランプ本体４２の固定度を増すことができる。また、クランプ本体４２の取付角度の設定が断続的に行われることとなる。
【産業上の利用可能性】
【００２５】
本発明の自在クランプ２１は、従来例のような勾配のある仮設屋根を自在クランプ２１と単管パイプ２４とを用いて安定した状態に組み立てることができるだけでなく、単管パイプ２４を連結させて様々な仮設物を組み立てるときに、自在クランプ２１の利用勝手が良好になる。
【符号の説明】
【００２６】
１    自在クランプ
２    固定片
３    保持片
４    保持部
５    本体部
６    ボルト
７    挟持部
８    ナット
９    仮設屋根
１０  単管パイプ
１１  斜材
２１  自在クランプ
２２  固定片
２３  保持片
２４  単管パイプ
２５  保持部
２６  クランプ本体
２７  連結部
２８  ヒンジ部
２９  保持ボルト
３０  ナット
３１  ヒンジ部
３２  挟持部
３３  板材
３４  取付部
３５  第１ボルト
３６  連結片
３７  第２ボルト
３８、３９  ナット
４１  第２実施例の自在クランプ
４２  クランプ本体
４３  連結部
【図１】
2014141781.tif 000003
【図２】
2014141781.tif 000004
【図３】
2014141781.tif 000005
【図４】
2014141781.tif 000006
【図５】
2014141781.tif 000007
【図６】
2014141781.tif 000008
【図７】
2014141781.tif 000009